(57)【要約】付属物として航空機に外側から装着されるようにした密着型防空（ＣＡＤ）システムを提供する。ＣＡＤシステムは、航空機対アダプタ・インターフェースと上部アダプタ側面とを有する密着型取付アダプタを含む。アダプタ・インターフェースと取付側面を有し、アダプタ・インターフェースが、上部アダプタ側面に装着される取付構造体を提供する。ミサイル防衛手段システムは、取付構造体の取付側面に取付けられる。さらに、カバーは防衛手段システムを事実上、閉じ込め、カバーは取付構造体の取付側面に取外し可能に固着される。
2007500094.tif 000002
【特許請求の範囲】
【請求項１】
付属物として航空機の表面に外側から装着されるようにした密着型防空（ＣＡＤ）システムであって、
航空機対アダプタ・インターフェースと上部アダプタ側面とを有する密着型取付アダプタと、
アダプタ・インターフェースと取付側面とを有する取付構造体であって、前記アダプタ・インターフェースは前記上部アダプタ側面に装着されることと、
前記取付構造体の前記取付側面上に取付けられるミサイル防衛手段システムと、
前記防衛手段システムを事実上、閉じ込めるカバーであって、前記カバーは前記取付構造体の前記取付側面に取外し可能に固着されることと
を備えることを特徴とする密着型防空（ＣＡＤ）システム。
【請求項２】
前記航空機対アダプタ・インターフェースは前記航空機の表面に適合するように構成されることを特徴とする請求項１に記載のシステム。
【請求項３】
前記密着型防空システムは、前記航空機から電力源だけを必要とする独立型ユニットであることを特徴とする請求項１に記載のシステム。
【請求項４】
前記カバーはカヌー形であることを特徴とする請求項１に記載のシステム。
【請求項５】
前記カバーは縦型の向きに置かれた右側側面と左側側面を含み、これらの側面は共に連結して前縁と後縁を形成することを特徴とする請求項４に記載のシステム。
【請求項６】
前記カバーは、前記右側側面と左側側面の下縁に連結された外部縁を有する底面を備え、前記底面は前記前縁と後縁に広がって前記前縁および後縁に連結することを特徴とする請求項５に記載のシステム。
【請求項７】
前記カバーが半球形であることを特徴とする請求項１に記載のシステム。
【請求項８】
前記カバーが涙形であることを特徴とする請求項１に記載のシステム。
【請求項９】
前記カバーが楕円ドーム形であることを特徴とする請求項１に記載のシステム。
【請求項１０】
前記カバーは、回転レーザ・タレットを収容するようにした少なくとも一つのタレット開口部を有することを特徴とする請求項１に記載のシステム。
【請求項１１】
前記の少なくとも一つのタレット開口部が前記カバーの前記底面上に設置されることを特徴とする請求項１１に記載のシステム。
【請求項１２】
前記カバーが、少なくとも一つの赤外線透過窓を有することを特徴とする請求項１に記載のシステム。
【請求項１３】
前記カバーが、センサ・ハウジング取付構造体を収容する少なくとも一つの整形板開口部を有することを特徴とする請求項１に記載のシステム。
【請求項１４】
前記防衛手段システムが、少なくとも一つのセンサ、少なくとも一つの回転レーザ・タレット、少なくとも一つの電子式ボックスおよび単一の電力ケーブルを含むことを特徴とする請求項１に記載のシステム。
【請求項１５】
前記取付構造体は、少なくとも一つのセンサ取付構造体と、少なくとも一つのレーザ・タレット取付構造体と、少なくとも一つの取付支持体とを含むことを特徴とする請求項１に記載のシステム。
【請求項１６】
前記防衛手段システムは、乗組員の相互作用と関係なく自律的に動作するように構成されることを特徴とする請求項１に記載のシステム。
【請求項１７】
前記密着型取付アダプタは、特殊な航空機の成形ラインと構造取付装置に適合するようにした航空機対アダプタ・インターフェースを有することを特徴とする請求項１に記載のシステム。
【請求項１８】
前記取付構造体、前記ミサイル防衛手段システムおよび前記カバーは、複数の航空機デザインに取付けられる単一の共通ライン交換ユニットとして提供されることを特徴とする請求項１に記載のシステム。
【請求項１９】
前記防衛手段システムは更に、
攻撃を観測する少なくとも一つのミサイル検出および警告受信機と、
攻撃を確認して防衛手段の応答を指令する防衛手段プロセッサと、
攻撃ミサイルを捉えて追跡するジンバル式精密追跡センサと、および、
ミサイル誘導性能を妨害および破壊する変調指向性赤外線防衛手段源と
を備えることを特徴とする請求項１に記載のシステム。
【請求項２０】
前記防衛手段システムが、指向性赤外線防衛手段（ＤＩＲＣＭ）システムを備えることを特徴とする請求項１９に記載のシステム。
【請求項２１】
商用型航空機に密着型定期旅客機防御（ＣＡＤ）システムを適合させる方法であって、システムは、密着型外部取付装置内に含まれる防衛手段システムを備え、該方法は、
航空機の外面に密着型取付アダプタを装着することと、
そこに取付けられた防衛手段システムと共に、取付支持構造体を前記密着型取付アダプタに固着することと、および、
防衛手段システムを事実上、閉じ込めるカバーを前記支持構造体に固着することと
を含む方法。
【請求項２２】
前記方法は更に、前記防衛手段システムから前記航空機上の電力コネクタまで電力ケーブル・コネクタを連結することを含むことを特徴とする請求項２１に記載の方法。
【請求項２３】
前記方法は更に、前記航空機上に取付ける前に前記防衛手段システムの診断点検を行なうことであって、該診断点検は前記航空機と別々に行なわれることを含むことを特徴とする請求項２１に記載の方法。
【請求項２４】
ミサイル防衛手段システムのための密着型外部取付システムであって、前記システムは付属物として航空機の外面に取り付けられ、前記システムは、
航空機の外面に装着されるように構成される密着型取付アダプタと、
前記密着型取付アダプタに固着されるように構成されてミサイル防衛手段システムを収容するように構成される取付構造体と、および、
前記取付構造体と防衛手段システムを事実上、閉じ込めるように構成されるカバーと
を備え、
前記密着型外部取付システムと防衛手段システムは、完全な全ライン取替型ユニットとしての取り外し、交換および取付けのうち少なくとも一つが可能であることを特徴とするシステム。
【請求項２５】
単一の電力コードが、連結されるべき前記防衛手段システムから航空機の電源ハーネスまで提供されることを特徴とする請求項２４に記載の密着型外部取付システム。
【請求項２６】
前記航空機の外面に付属物として装着される密着型定期旅客機防御システム（ＣＡＤ）と組み合わせた航空機であって、前記ＣＡＤシステムは、
前記航空機の前記外面に装着される密着型取付アダプタと、
前記取付アダプタの上面に装着される取付構造体と、
前記支持構造体上に取付けられるミサイル防衛手段システムと、および、
前記防衛手段システムを事実上、閉じ込め、前記支持構造体に取外し可能に固着されるカバーと
を備え、
前記防衛手段システムは事実上、組込式の独立型であり、パイロットの入力および制御と関係なく完全に動作でき、前記航空機の電源から電力源のみを必要とすることを特徴とする航空機。
【請求項２７】
前記取付構造体は、前記防衛手段システムの部材同士が前記航空機の操作レジームを通じてアライメントされるように構成されていることを特徴とする請求項２６に記載の防御システム組合せ航空機。
【発明の詳細な説明】
【技術分野】
【０００１】
関連出願との相互参照
適用可能でない
連邦政府により後援された研究／開発に関する主張
適用可能でない
この発明は、航空機のミサイル防衛手段システムに関する。特に、本発明は、航空機の胴体の外面へ容易に取付けられ、取り外すことができるコンフォーマル（密着型）外部取付システム内に全体が包含される密着型定期旅客機防御（ＣＡＤ）システムである。本システムは、商用型航空機を含む任意の大型航空機上に経済的に装着してもよいし、本システムを用いて個人携帯防空（ＭＡＮＰＡＤＳ）ミサイルを含む赤外線（ＩＲ）ミサイルから航空機を保護することができる。
【背景技術】
【０００２】
"スティンガー（Stinger）"ミサイルのような手持型かショルダー型ミサイルから軍用機を保護する赤外線防衛手段システムは当該分野において公知である。指向性赤外線防衛手段（ＤＩＲＣＭ）システムのようなこれらのシステムは、接近するミサイルに関連する赤外線特性を追跡し、防衛手段として伝達されて攻撃ミサイル誘導システムを混乱させる高電力赤外線レーザ信号を生成する。指向性赤外線防衛手段システムは、通常、航空機の胴体に装着される回転ボール・タレットを突き通す赤外線波長源を用いる。本システムは、また、航空機の外板上の様々な位置に取付けられる多数のセンサを用いる。通常、本システムと密接に関連する電子式"ブラック"ボックスは、航空機の内部に標準的に組込まれ、航空機の胴体内に設置されるエビオニクス機器バスを介して通信する。
【０００３】
商用型定期旅客機を対象とするテロ行為活動および現在進行中の自国安全イニシアティブが最近実質的に増加していることに関して、軍用機に用いられるシステムと類似の性能を有する赤外線防衛手段システムを商用型定期旅客機に提供する試みが行なわれてきた。理想的なのは、すでに軍用機に用いられている公知の防衛手段システムが商用型航空機上に直接取付けられ、前述の軍用機と同レベルの保護を商用型航空機に与えられることであろう。
【０００４】
しかし、この提案の解決策の主な欠点は、公知の軍用防衛手段システムが、特に、赤外線エネルギ源、タレット、センサ、電子式ブラックボックスおよび相互連結配線を含む前述のシステム成分を受け入れるように特別に構成される軍用機用に設計されていることである。例えば、軍用機指定防衛手段システム設計は、通常、航空機上の幾つかの異なる場所に搭載されるシステムの様々な成分を有する分散型アーキテクチャを用いる。様々な成分は、航空機の胴体内を隈なく走る配線ハーネスにより相互連結される。これらの成分は、戦略的に、航空機の胴体内に置かれ、適正な外部被覆、整列、配線相互連結並びに航空機の重量化および平衡化を確実にする。また、タレットとセンサは、航空機の空力的特性を損じることがなく、しかも、効果的に機能できる航空機の位置に同様に戦略的に設置される。
【０００５】
他方では、今日、使用されている商用型定期旅客機は、前述の軍用赤外線防衛手段システムを受け入れるように設計または改造されていない。さらに、これらの軍用システムの取付けは、航空母艦艦隊で用いられている、かなりの改造を様々な商用型定期旅客機に施さなければならなくなる。このような改造は、かなり費用がかかり、ほとんどの場合、実用的ではなくなる。しかも、航空機で行なわれる主要な改造のため、商用型定期旅客機の高価な証明書の更新は、軍用指定の赤外線防衛手段システムを取付けるための経費をさらに増加させることになる。結果として、軍用機に取付けられるのと同じ方法で現在用いられる商用型定期旅客機に既存の軍用赤外線防衛手段システムを取付ける提案の解決策は、実に非実用的なやり方であると思われる。
【０００６】
現行のテロ行為ジレンマを解決する別の取組み方は、同様に、軍用機で公知の伝統的に用いられる在来の照明射出システムを用いることを考慮することであった。このシステムに関して、照明は、航空機から射出され、熱追跡ミサイルを照明方向へ引き付けるのに十分熱く照りつける。不幸にも、照明を用いることは、商用型航空機には問題のある解決策と考えられる。何故なら、米連邦航空局は、居住領域上に照明を向けたシステムに証明書を与えることは問題があるとコメントしたからである。
【発明の開示】
【発明が解決しようとする課題】
【０００７】
現在の最新鋭の軍用防衛手段技術（つまり、既製成分）を用い、しかも、前述の航空機取付けの欠点を克服できるミサイル防衛手段システムを開発することが望ましいであろう。例えば、利用可能な防衛手段技術に関して、最新鋭の赤外線検出ミサイル防衛手段システムを規定する既存の回転タレット、センサおよび支持電気式ブラックボックスを再設計する必要はない。しかし、必要とされるのは、このような成分を経済的に取付け、広範な改造なしに現在用いられる商用型航空機で利用されるようにした設計である。しかも、防衛手段システムは、容易に証明し、維持し、動作すべきである。
【課題を解決するための手段】
【０００８】
本発明の一つの局面に従って、表面取付付属物として、航空機に外側から装着されるようにした密着型防空（ＣＡＤ）システムが提供される。ＣＡＤシステムは、航空機対アダプタを有する密着型取付アダプタを含む。システムの全成分を収容し、航空機に特異的なアダプタとインターフェースで連結する取付構造体が提供される。また、カバーは、防衛手段システムを事実上、閉じ込め、カバーは、取付構造体の取付側面に取外し可能に固着される。
【０００９】
本発明の別の局面は、航空機の外面に適合するようにした航空機対アダプタ・インターフェースを含む。本発明のさらに別の局面は、航空機からの電源のみを必要とする独立型ユニットであるＣＡＤを含む。
【００１０】
本発明のさらに別の局面において、カバーはカヌー型である。本発明のさらに別の局面に従い、カバーは、互いに連結して前縁と後縁を形成する縦型の向きに置かれた右側側面と左側側面を有する。本発明のさらに別の局面において、カバ−は、外縁が右側側面と左側側面の下縁に連結した底面を有し、底面は、前縁と後縁へ広がり、これらと連結する。さらに、カバーは、半球形、涙形または楕円ドーム形でもよい。
【００１１】
しかも、本発明のさらに別の局面に従って、カバーは、回転レーザ・タレットを収容するようにした少なくとも一つのタレット開口部を有する。本発明の別の局面に従い、少なくとも一つのタレット開口部は、カバーの底面上に設置される。さらに、本発明の別の局面は、少なくとも一つの透過窓を有するカバーを提供する。本発明のさらに別の局面は、センサ取付構造体を収容する少なくとも一つの整形板開口部を有するカバーを提供する。
【００１２】
さらに、本発明は、少なくとも一つのセンサ、少なくとも一つの回転レーザ・タレット、少なくとも一つの電子式ボックスおよび単一の電力ケーブルを含む防衛手段システムを提供する。しかも、本発明の別の局面に従い、取付構造体は、少なくとも一つのセンサ取付構造体、少なくとも一つのレーザ・タレット取付構造体および少なくとも一つの取付支持体を含む。
【００１３】
本発明の別の局面に従い、防衛手段システムは、自律的に動作し、航空機キャビン制御を介する乗組員の相互作用を必要としない。本発明のさらに別の局面に従い、密着型取付アダプタは、特殊な航空機の成形ラインと取付穴位置に適合するようにした航空機対アダプタ・インターフェースを有する。しかも、別の局面に従い、取付構造体、ミサイル防衛手段システムおよびカバーが、複数の航空機デザインに取付けられる単一の共通ライン置換ユニットとして提供される。
【００１４】
本発明のさらに別の局面に従い、防衛手段システムは、攻撃を観測する少なくとも一つのミサイル検出および警告受信器；攻撃を確認し、防衛手段の応答を指令する防衛手段プロセッサ；攻撃ミサイルを捉え、追跡するジンバル式精密追跡センサ；およびミサイル誘導性能を妨害し、破壊する変調指向性赤外線防衛手段源を含む。例えば、防衛手段システムは、指向性赤外線防衛手段（ＤＩＲＣＭ）システムでもよい。
【００１５】
さらに、本発明の別の実施形態は、密着型定期旅客機防御（ＣＡＤ）システムを商用型航空機に装着する方法である。本システムは、密着型外部取付システム内に含まれる防衛手段システムを含む。本方法は、密着型取付アダプタを航空機の外側に装着すること；そこに取付けられた防衛手段システムと共に取付支持構造体を密着型取付アダプタに固着すること；および事実上、防衛手段システムを閉じ込めるカバーを支持構造体に固着することを含む。本方法は、また、防衛手段システムから航空機内に含まれる電源まで電力ケーブル・コネクタを連結することを含んでもよい。さらに、本方法は、航空機上に取付ける前に、防衛手段ステムの診断点検を実行することを含んでもよく、診断点検は、航空機と別々に行なわれる。
【００１６】
本発明のさらに別の局面に従い、ミサイル防衛手段システムの密着型外部取付システムの別の実施形態が提供される。本システムは、付属物として航空機の胴体に外側から取付けられるようにしてある。本システムは、航空機の胴体に装着されるように構成される密着型取付アダプタ；密着型取付アダプタに固着されるように構成され、ミサイル防衛手段システムを収容するように構成される取付構造体；および取付構造体と防衛手段システムを事実上、閉じ込めるように構成されるカバーを含む。また、密着型外部取付システムとミサイル防衛手段システムは、完全な全ライン取替型ユニットとして除去、交換および取付けることができる。しかも、本発明の別の局面は、連結すべき防衛手段システムから航空機の電源まで単一の電力コードを提供する。
【００１７】
本発明のさらに別の局面に従い、付属物として前記航空機の外側に装着される密着型定期旅客機防御（ＣＡＤ）システムと組み合わせた航空機である別の実施形態が提供される。ＣＡＤシステムは、航空機の外面に装着される密着型取付アダプタ；取付アダプタの上面に装着される取付構造体；支持構造体上に取付けられるミサイル防衛手段システム；および防衛手段システムを事実上、閉じ込め、支持構造体に取外し可能に固着されるカバーを含む。取付アダプタ、取付構造体およびカバーは、空力的付属物を形成するように構成される。しかも、防衛手段システムは、組込式の独立型でパイロットの入力および制御に関係なく完全に動作でき、前記航空機の電源からの電力源のみを必要とする。
【００１８】
ＣＡＤシステムは、商用型航空機に関して提案された他の防衛手段システムより多くの利点を提供する。例えば、ＣＡＤは、航空機上でのアラインメントではなく、システム成分の工場アラインメントを可能にする。完全なシステム診断点検は、航空機上に取付ける前にシステムで行なってもよい。また、本発明の設計は、危険な攻撃されやすい飛行の離陸と着陸相間の単一の送信機赤外線防衛手段（ＩＲＣＭ）受信可能範囲を最大限にする。さらに、ＣＡＤシステムは、最小の機体補強、単一の電力線／コネクタを要求し、内部の除去／交換を要しないことにより、組込努力を最小限にする。さらに、本発明は、取付けと取り外しの航空機中断時間（つまり、サービス停止時間）を最小限にする。しかも、ＣＡＤシステムは、自律的に動作でき、これは、本システムを動作するのに乗組員の相互作用が必要ないことを意味する。さらに、ＣＡＤシステムは、容易に構成し、動作要求に適合するように、すばやく「ロールフィット」することができる。
【００１９】
さらに、ＣＡＤシステムは、最初にＣＡＤシステムを装着するのに必要な航空機の改造量を最小限にし、危機時にＣＡＤを装着するのに要する付属装置数を最小限にするように設計される。ＣＡＤシステムは、また、航空機へと航空機からの電気的インターフェースを最小限にするように設計される。しかも、本発明は、宿主航空機の性能、安定性および制御特性に及ぼすＣＡＤの影響を最小限にするように設計され、さらに、ＣＡＤ取付けによる抗力および燃料消費への影響を最小限にする。さらに、本発明は、保守管理のための迅速なＣＡＤの取り外しと交換を可能にし、脅威レベルが低いとき、偶発危険準備用ＣＡＤを迅速に取り外せるように構成される。
【００２０】
本発明の別の例証実施形態と利点は、本開示物および添付の図面を参照することにより、確かめてもよい。
【発明を実施するための最良の形態】
【００２１】
本発明は、さらに、本発明の非限定的な好適実施形態例を用い、添付の図面を参照することにより、以下の詳細な説明において記載する。好適実施形態例において、幾つかの図面の図を通して、同じ参照番号は、類似部品を示す。
【００２２】
本明細書に示される詳細は、例示であり、本発明の実施形態を例証的に考察することを目的にするにすぎなく、本発明の原理および概念的局面の説明に最も有用であり、容易に理解され得ると考えられるものを提供するために示される。これに関して、本発明の基礎的な理解に必要なこと以上に詳しく本発明の構造上の詳細を示す試みは行なわれていない。図面で挙げられる説明は、当業者にとって、本発明の幾つかの形態を実際に具体化し得る方法を明らかにする。
【００２３】
本発明は、密着型定期旅客機防御（ＣＡＤ）システムと呼ばれる。ＣＡＤは、個人携帯防空システム（ＭＡＮＰＡＤＳ）ミサイルから航空機への攻撃を検出することと変調赤外線妨害信号を用いて攻撃を破壊することにより、商用型定期旅客機のような大型航空機を保護できる指向性赤外線防衛手段（ＤＩＲＣＭ）システムか、他の防衛手段システムを搭載できる密着型外部取付システム２を含む。
【００２４】
ＣＡＤ内に組込まれるＤＩＲＣＭシステムは、（１）ほぼ全ての攻撃を観測できる大きな注目視野を有するミサイル検出および警告受信機、（２）攻撃を確認し、防衛手段の応答を指令する防衛手段プロセッサ、（３）攻撃ミサイルを捉え、追跡するジンバル型精密追跡センサおよび（４）ミサイル誘導性能を妨害し、粉砕させる変調指向性赤外線防衛手段源を含む四つの主要システム成分を有する。
【００２５】
例証目的には、指向性赤外線防衛手段（ＤＩＲＣＭ）システムをこの開示物内において記載するが、本発明の範囲は、ＤＩＲＣＭ防衛手段システムだけに制限されないものとすることに留意すべきである。むしろ、ＤＩＲＣＭ防衛手段システムの代わりに、他の改変型の電子式赤外線妨害装置システムも、本明細書において以下に記載される本発明の他の特徴と組み合わせて使用してもよい。
【００２６】
図１（ａ）〜（ｂ）と図２は、ＤＩＲＣＭシステムか、他の防衛手段システムを搭載する密着型外部取付システム２の例証実施形態を示す。密着型外部取付システム２は、剛性の共通器具取付構造体３０、カヌー型カバー１０（または空力フェアリング（整形板））および密着型取付アダプタ７０（またはアダプタ板）を含む。共通取付構造体３０は、全ての防衛手段システム成分をしっかりと保持し、互いに対して整合状態に保持する。密着型取付アダプタ７０は、最小限の留め具を用いて、最小限の表面貫入と航空機の改造で航空機の外面に取付ける。カヌー型カバー１０は、取付構造体３０と防衛手段器具を被覆するのに提供される。カバー１０は、防衛手段器具に清潔な密閉された組込式の熱制御環境を提供し、低い抗力特性および航空機の外面にわたって最小限の気流破壊を提供する。密着型取付アダプタ７０は、取付構造体３０とカバー１０をそれぞれ特有な航空機の成形ラインに適合させ、多くの航空機型および機種で使用されるべき共通のＣＡＤデザインを可能にする留め具を提供する航空機に特有なデザインである。
【００２７】
図１（ａ）は、ＣＡＤシステム、特に、密着型外部取付システム２の底部斜視図である。前縁１２と後縁１４で終わる縦方向の長さをもつカヌー型カバー１０が提供される。カバー１０は、前縁１２、後縁１４および底面１６の外縁を形成する左側側面１３（図２を参照）と右側側面１５を含む。底面１６に設置されるのは、タレット開口部１８で、赤外線波長レーザ源をタレットの暴露頭部内に組込む回転タレット４２を収容する。また、図１（ａ）において、センサ取付構造体３２とセンサ４４が示され、センサはセンサ取付構造体３２内に取付けられる。
【００２８】
図１（ｂ）は、ＣＡＤシステム、特に、密着型外部取付システム２の上部斜視図である。この斜視図から取付アダプタ７０がはっきりと見える。先に述べたように、取付アダプタ７０を用いて、密着型外部取付システム２を航空機の胴体に取付ける。図１（ｂ）に示される実施形態は、締付けつまみ（６箇所）を有する取付アダプタ７０の格子枠構造デザイン７２を示す。取付アダプタ７０は、それぞれ特殊な航空機に依存して種々のデザイン、材料、留め具、形態および形状を用いて構築し得ることに留意する。さらに、先に述べたように、密着型アダプタ７０は、取付構造体３０を収容するように設計され、その構成は、一定のままでもよいが、同時に、様々な航空機の外形または成形ラインに適合される。このように、航空機対取付アダプタ・インターフェース７３は、特殊な航空機に依存して種々の適合化／実施形態を有することになる。
【００２９】
図２は、ＣＡＤシステム、特に、図１（ａ）と図１（ｂ）に示された密着型外部取付システム２の同じ例証実施形態の組立分解図である。密着型外部取付システム２の主要構造成分は、取付構造体３０である。取付構造体３０は、図１（ａ）と図１（ｂ）に示されるように、構造体主要成形ラインから突出して、密着型外部取付システム２が組立てられる適正な視野にセンサを設置する円筒形ハウジングを有するセンサ取付構造体３２（四箇所）を含む。さらに、センサ４４は、センサ・ハウジング取付構造体３２内に取付けられる。各センサ４４は、ミサイル煙を感知する透過窓を含む。回転タレット収容取付構造体４０は、回転レーザ・タレット４２を収容するため、取付構造体３０上に提供される。種々の取付支持体５８は、例えば、取付構造体３０に防衛手段システム成分５２を装着するのに提供してもよい。図２は、さらに、センサ・ハウジング取付構造体３２を収容するようにしたカバー１０内の整形板開口部２０（四箇所）を例示する。
【００３０】
図３は、密着型外部取付システム２の択一的例証実施形態である。この実施形態は、楕円形ドーム型カバー８０を提供する。他の点では、本実施形態は、取付構造体３０（例示なし）、センサ４４（四箇所）、回転レーザ・タレット４２および防衛手段システム成分５２を含む、図１と図２に例示の実施形態と同じ成分を用いる。
【００３１】
図４（ａ）〜図（ｂ）は、カバーの択一的実施形態を示す。例えば、カバーは、涙型８４、半球型８６または密着型外部取付システム２に空力安定性と効率を提供する他の任意の形状のような様々な形状の形態をとってもよい。一般的に、カバーの形状は、宿主の航空機の性能、安定性および制御特性に及ぼすＣＡＤの影響を最小限にするように設計されるべきである。しかも、カバーの形状は、抗力および燃料消費への影響を最小限にするように設計されるべきである。
【００３２】
図５は、航空機上のＣＡＤシステムの例証設置を例示する。密着型外部取付システム２の設置は、密着型外部取付システム２が取付けられることになる特殊な航空機、該特殊な航空機の重量化と平衡化因子、視野条件、および、ＣＡＤシステムが航空機上に取付けられるときの密着型外部取付システム２と航空機の双方の空力特性を含む様々な因子に依存し得ることに留意すべきである。従って、航空機上のＣＡＤシステムの設置位置は変動するかもしれない。
【００３３】
ＣＡＤシステムが商用型航空機にだけ限定されないと述べることにも留意すべきである。また、ＣＡＤシステムは、小型プロペラ機からリア（Lear）ジェットおよびガルフストリーム（Gulf・Stream）のような個人所有のジェット機にわたる個人所有航空機上に取付けてもよい。しかも、ＣＡＤシステムは、既存の軍用機上に取付けてもよい。さらにまた、ＣＡＤシステムは、商用型、個人所有型または軍用ヘリコプタに設置してもよい。
【００３４】
次に、以下の部分は、ＣＡＤシステムの例証取付け順序を簡単に述べることになる。いったん、密着型外部取付システム２の適正な位置が決定されると、電源コネクタは、航空機の配線ハーネスから取外し可能パネル、ハッチまたは所望の取付位置付近の隔壁から提供されなければならないだろう。取付アダプタ７０の同じ足跡内に構成される締付けハードウエア・レセプタクルは、航空機の外面にアダプタ７０を取付けるために提供されなければならないだろう。次に、密着型外部取付システム２に通じる電力ケーブル（例示なし）は、航空機上の電源に連結されるべきである。装着されたＣＡＤシステムと共に取付アダプタ７０は、次に、航空機外部に固着してもよい。
【００３５】
本発明は、幾つかの例証実施形態を参照して記載してきたが、使用されてきた用語は、限定するための用語よりはむしろ、説明および例示するための用語であることは理解されよう。その局面において本発明の局面の範囲および趣旨から逸脱することなく、やがて述べるような、そして修正されるような添付のクレームの範囲内で変更してもよい。本発明は、特定の手段、材料および実施形態を参照して述べてきたが、本発明は、開示された詳細に限定しようとするものではなく、むしろ、本発明は、添付のクレームの範囲内にあるような全ての機能的等価構造体、方法および用途に及ぶ。
【図面の簡単な説明】
【００３６】
【図１】図１（ａ）はＣＡＤシステム、特に、密着型外部取付システムの例証実施形態の底面斜視図、図１（ｂ）は図１（ａ）に示されるＣＡＤシステムの例証実施形態の上部斜視図。
【図２】図１（ａ）と１（ｂ）に示される密着型外部取付システムの詳細を示すＣＡＤの例証実施形態の組立分解図。
【図３】ＣＡＤの択一的例証実施形態。
【図４】図４（ａ）と図４（ｂ）はカバーの択一的例証実施形態。
【図５】航空機上のＣＡＤの例証設置。
【図１（ａ）】
2007500094.tif 000003
【図１（ｂ）】
2007500094.tif 000004
【図２】
2007500094.tif 000005
【図３】
2007500094.tif 000006
【図４Ａ】
2007500094.tif 000007
【図４Ｂ】
2007500094.tif 000008
【図５】
2007500094.tif 000009
【手続補正書】
【提出日】平成17年4月7日(2005.4.7)
【手続補正１】
【補正対象書類名】特許請求の範囲
【補正対象項目名】全文
【補正方法】変更
【補正の内容】
【特許請求の範囲】
【請求項１】
付属物として航空機の表面に外側から装着されるようにした組込式の独立型密着型防空（ＣＡＤ）システムであって、該システムは、
航空機対アダプタ・インターフェースと上部アダプタ側面とを有する密着型取付アダプタであって、前記航空機対アダプタ・インターフェースは前記航空機の表面に適合するように構成されることと、
アダプタ・インターフェースと取付側面とを有する取付構造体であって、前記アダプタ・インターフェースは前記上部アダプタ側面に装着されることと、
前記取付構造体の前記取付側面上に取付けられる電子式赤外線防衛手段システム（ＩＲＣＭ）であって、前記赤外線防衛手段システムは赤外線レーザ源を攻撃ミサイルに向けてミサイルの誘導システムを混乱させるように構成されることと、
前記防衛手段システムを事実上、閉じ込めるカバーであって、前記カバーは前記取付構造体の前記取付側面に取外し可能に固着されることと
を備え、
前記システムは、乗組員の相互作用と関係なく自律的に動作するように構成されて航空機から電力源だけを必要とすることを特徴とする組込式独立型密着型防空（ＣＡＤ）システム。
【請求項２】
カヌー形の前記カバーは縦型の向きに置かれた右側側面と左側側面を含み、これらの側面は共に連結して前縁と後縁を形成し、外部縁を備えた底面は前記右側側面と左側側面の下縁に連結され、前記底面が前記前縁と後縁に広がって前記前縁と後縁に連結することを特徴とする請求項１に記載のシステム。
【請求項３】
前記カバーが半球形であることを特徴とする請求項１に記載のシステム。
【請求項４】
前記カバーが涙形であることを特徴とする請求項１に記載のシステム。
【請求項５】
前記カバーが楕円ドーム形であることを特徴とする請求項１に記載のシステム。
【請求項６】
前記カバーは、回転レーザ・タレットを収容するようにした少なくとも一つのタレット開口部を有することを特徴とする請求項１に記載のシステム。
【請求項７】
前記の少なくとも一つのタレット開口部が前記カバーの前記底面上に設置されることを特徴とする請求項６に記載のシステム。
【請求項８】
前記カバーが、少なくとも一つの赤外線透過窓を有することを特徴とする請求項１に記載のシステム。
【請求項９】
前記カバーが、センサ・ハウジング取付構造体を収容する少なくとも一つの整形板開口部を有することを特徴とする請求項１に記載のシステム。
【請求項１０】
前記防衛手段システムが、少なくとも一つのセンサ、少なくとも一つの回転レーザ・タレット、少なくとも一つの電子式ボックスおよび単一の電力ケーブルを含むことを特徴とする請求項１に記載のシステム。
【請求項１１】
前記取付構造体は更に一対の対向する尖った末端により規定されるカヌー形外周を有し、前記取付構造体は更に、全般的に前記取付側面と直交方向で前記外周の周りに形成される少なくとも一つのセンサ取付構造体と、前記取付側面に対して全般的に直交方向で前記取付側面に連結される少なくとも一つのレーザ・タレット円筒形取付構造体と、少なくとも一つの取付支持体とを含むことを特徴とする請求項１に記載のシステム。
【請求項１２】
前記密着型取付アダプタは、特殊な航空機の成形ラインと構造取付装置に適合するようにした航空機対アダプタ・インターフェースを有することを特徴とする請求項１に記載のシステム。
【請求項１３】
前記取付構造体、前記ミサイル防衛手段システムおよび前記カバーは、複数の航空機デザインに取付けられる単一の共通ライン交換ユニットとして提供されることを特徴とする請求項１に記載のシステム。
【請求項１４】
前記防衛手段システムは更に、
攻撃を観測する少なくとも一つのミサイル検出および警告受信機と、
攻撃を確認して防衛手段の応答を指令する防衛手段プロセッサと、
攻撃ミサイルを捉えて追跡するジンバル式精密追跡センサと、および、
ミサイル誘導性能を妨害および破壊する変調指向性赤外線防衛手段源と
を備えることを特徴とする請求項１に記載のシステム。
【請求項１５】
前記防衛手段システムが、指向性赤外線防衛手段（ＤＩＲＣＭ）システムを備えることを特徴とする請求項１４に記載のシステム。
【請求項１６】
商用型航空機に組込式の独立型密着型定期旅客機防御（ＣＡＤ）システムを適合させる方法であって、システムは、攻撃ミサイルに赤外線レーザ源を向けてミサイルの誘導システムを混乱させる電子式赤外線防衛手段システム（ＩＲＣＭ）を備え、該防衛手段システムは密着型外部取付装置内に含まれ、該方法は、
前記航空機上に取付ける前に前記防衛手段システムの診断点検を行なうことであって、該診断点検は前記航空機と別々に行なわれることと、
前記防衛手段システムから前記航空機上の電力コネクタまで電力ケーブル・コネクタを連結することと、
航空機の外面に密着型取付アダプタを装着することと、
そこに取付けられた防衛手段システムと共に、取付支持構造体を前記密着型取付アダプタに固着することと、および、
防衛手段システムを事実上、閉じ込めるカバーを前記支持構造体に固着することと
を含む方法。
【請求項１７】
攻撃ミサイルに赤外線レーザ源を向けることでミサイル誘導システムを混乱させる電子式赤外線防衛手段（ＩＲＣＭ）システムを収容する組込式の独立型密着型外部取付システムであって、前記密着型取付システムは付属物として航空機の外面に取り付けられ、前記密着型取付システムは、
航空機の外面に装着されるように構成される密着型取付アダプタと、
前記密着型取付アダプタに固着されるように構成されて電子式赤外線防衛手段システムを収容するように構成される取付構造体と、および、
前記取付構造体と防衛手段システムを事実上、閉じ込めるように構成されるカバーと
を備え、
前記密着型外部取付システムと防衛手段システムは、完全な全ライン取替型ユニットとして取り外し、交換および取付けできることを特徴とするシステム。
【請求項１８】
単一の電力コードが、連結されるべき前記防衛手段システムから航空機の電源ハーネスまで提供されることを特徴とする請求項１７に記載の密着型外部取付システム。
【請求項１９】
前記航空機の外面に付属物として装着される組込式の独立型密着型定期旅客機防御システム（ＣＡＤ）と組み合わせた航空機であって、前記ＣＡＤシステムは、
前記航空機の前記外面に装着される密着型取付アダプタと、
前記取付アダプタの上面に装着される取付構造体と、
前記支持構造体上に取付けられる電子式赤外線防衛手段システム（ＩＲＣＭ）であって、前記赤外線防衛手段システムは攻撃ミサイルに赤外線レーザ源を向けてミサイルの誘導システムを混乱させるように構成されることと、および、
前記防衛手段システムを事実上、閉じ込め、前記支持構造体に取外し可能に固着されるカバーと
を備え、
前記防衛手段システムは事実上、組込式の独立型であり、パイロットの入力および制御と関係なく完全に動作でき、前記航空機の電源から電力源のみを必要とすることを特徴とする航空機。
【請求項２０】
前記カバーは、共に連結して前縁と後縁を形成する縦型の向きに置かれた右側側面及び左側側面と、前記右側側面及び左側側面の下縁に連結された外縁を備えた底面と、を含むカヌー形であり、前記底面は前記前縁と後縁に広がって前記前縁と後縁に連結することを特徴とする請求項１９に記載の組合せ。
【請求項２１】
前記カバーはカヌー形であり、該カバーは、共に連結して前縁と後縁を形成する縦型の向きに置かれた右側側面及び左側側面と、前記右側側面及び左側側面の下縁に連結された外縁を備えた底面とを含み、前記底面は前記前縁と後縁へ広がりこれらと連結することを特徴とする請求項１７に記載の密着型外部取付システム。
【請求項２２】
前記密着型アダプタは更に一対の対向する尖った末端により規定されるカヌー形の外周を有し、アダプタは更に、格子枠構造デザインと、前記密着型アダプタの前記外周の周りに形成されそこに配列された穴を伴う複数の締付けつまみとを含むことを特徴とする請求項１に記載のシステム。
【国際調査報告】
2007500094.tif 000010
2007500094.tif 000011